(57)【要約】【課題】  排水性舗装用アスファルト混合物の配合試験であるダレ試験装置内への試料の出し入れの際に、ダレ試験装置内の温度変化が極めて少ないダレ試験装置を提供する。【解決手段】  装置本体と、該装置本体内部に設けられたヒーター室と、該ヒーター室内に設けられた複数の収納スペースと、該ヒーター室を小さく区分けするように設けられた複数の開口部と、該開口部を開閉するように該開口部に回動自在に取りつけられた小扉と、を含むようにした。【選択図】  図１
0003127243.tif 000002
【実用新案登録請求の範囲】
【請求項１】
装置本体と、
該装置本体内部に設けられたヒーター室と、
該ヒーター室内に設けられた複数の収納スペースと、
該ヒーター室を小さく区分けするように設けられた複数の開口部と、
該開口部を開閉するように該開口部に回動自在に取りつけられた小扉と、
を含むことを特徴とするダレ試験装置。
【請求項２】
前記小扉を開放すると手前側に略水平状態に位置するように構成し、前記小扉の開放状態では該小扉の裏面が、試料を一時的に置くための試料置きとして機能するようにしたことを特徴とする請求項１記載のダレ試験装置。
【請求項３】
前記収納スペースがさらに小さく仕切られた仕切り収納スペースとなるように設けられかつ空気透過状態と非空気透過状態とを有することができるようにした仕切り手段と、
をさらに含むことを特徴とする請求項１又は２記載のダレ試験装置。
【請求項４】
請求項３記載のダレ試験装置において、ヒーター室内が所定温度に達するまでは前記仕切り手段を空気透過状態とし、試料の出し入れの際には前記仕切り手段を非空気透過状態とするようにしたことを特徴とするダレ試験装置。
【請求項５】
熱風循環乾燥機としても使用可能な熱風循環乾燥機兼用型であることを特徴とする請求項１〜４のいずれか１項記載のダレ試験装置。
【考案の詳細な説明】
【技術分野】
【０００１】
本考案は、排水性舗装用アスファルト混合物の配合試験であるダレ試験に用いられるダレ試験装置に関するものである。
【背景技術】
【０００２】
従来、排水性舗装用アスファルト混合物（アスファルトコンクリート又はアスコンとも呼ばれる）の配合試験で最適なアスファルト量を決定する試験方法として、ダレ試験が広く行われている。
【０００３】
このダレ試験は、所定粒度のアスファルト混合物に対してある一定量のアスファルトを添加した際の余剰アスファルトモルタル分を判定するために用いられるものである。ダレ試験を行うには、試料を１７０°Ｃ程度の所定温度で１時間程度養生する必要があるため、試料を入れるための耐熱受け皿と該耐熱受け皿を収納して養生するためのダレ試験装置が必要である。
【０００４】
かかるダレ試験装置としては、図９に示すように、例えば、大型の熱風循環型乾燥機がそのままダレ試験装置１００として一般的に用いられている。図９において、従来のダレ試験装置１００は、内部がヒーター室１０２とされている装置本体１０４と、該ヒーター室１０２内に設けられた複数の収納スペース１２０と、該複数の収納スペース１２０の全てを遮蔽するように該装置本体１０４の前面に設けられた観音開きの開閉扉１１０ａ，１１０ｂと、から構成されている。収納スペース１２０には、試料１０６を入れた複数の耐熱受け皿１０８が収納される。
【０００５】
上記したヒーター室１０２には、内部を仕切るための線材棚板１２２が設けられており、これにより複数の収納スペース１２０が構成されている。
【０００６】
さらに、装置本体１０４には、制御盤１２４が設けられており、該制御盤１２４には、ヒーター室１０２の温度を調節するための温調器１２６と、ブレーカー１２８及び排気口１２３が設けられている。なお、ヒーター室１０２には、熱を発生させるヒーター及びヒーターによって発生した熱をヒーター室１０２内で強制循環させるためのファンモーターが設けられている（図示省略）。なお、装置本体１０４の下面には四カ所に支脚１３０が取り付けられている。
【０００７】
なお、制御盤１２４には、パイロットランプ１３２、モーターランプ１３４、パワーランプ１３６、オーバーヒートランプ１３８、ヒューズ１４０、パワーオンスイッチ１４２、パワーオフスイッチ１４４などが設けられている。
【０００８】
このようなダレ試験装置１００を用いてダレ試験を行うには、耐熱受け皿１０８に試料１０６を入れて、該耐熱受け皿１０２をダレ試験装置１００に収納して、例えば１７０°Ｃの養生設定温度で養生を行う。
【０００９】
しかしながら、一回のダレ試験には、通常、試料を入れた耐熱受け皿１０８を１５個程度（図示例では１８個）使用するため、試料の出し入れ時毎に開閉扉１１０ａ，１１０ｂを開閉する必要がある。なお、図９において、符号１０９ａ，１０９ｂは開閉扉１１０ａ，１１０ｂに設けられた引き手であり、符号１１１ａ，１１１ｂは開閉扉１１０ａ，１１０ｂを係合するための係合部材である。このため、ダレ試験装置１００内部の温度はその開閉扉１１０ａ，１１０ｂを開ける毎に３０°Ｃ〜４０°Ｃも低下し、開閉扉１１０ａ，１１０ｂを閉めると再び所定の養生設定温度（図１０では、１７０°Ｃ）まで上昇することとなり、ダレ試験装置内部の温度変化が大きくなってしまうという不都合があった。
【００１０】
すなわち、図１０に示すように、従来のダレ試験装置１００では試料の出し入れに伴う開閉扉１１０ａ，１１０ｂの開閉により、ダレ試験装置１００内部の温度が頻繁に３０°Ｃ〜４０°Ｃも低下し、養生設定温度に復帰するのに３分程度かかり、ダレ試験の所定の養生時間のうち、設定温度を保持できているのはかなり短い時間であるという問題があった。
【００１１】
そこで、本発明者らは、鋭意検討を重ねた結果、ダレ試験に使用する耐熱受け皿の出し入れに合わせた小型の扉を複数配置することにより、ダレ試験装置における試料の出し入れ時の扉の開閉による温度変化を抑えることができるという知見を得た。
【考案の開示】
【考案が解決しようとする課題】
【００１２】
本考案は、上記した従来技術の問題点に鑑みてなされたものであり、ダレ試験装置内への試料の出し入れの際に、ダレ試験装置内の温度変化が極めて少ないダレ試験装置を提供することを目的とする。
【課題を解決するための手段】
【００１３】
上記課題を解決するために、本考案のダレ試験装置は、装置本体と、該装置本体内部に設けられたヒーター室と、該ヒーター室内に設けられた複数の収納スペースと、該ヒーター室を小さく区分けするように設けられた複数の開口部と、該開口部を開閉するように該開口部に回動自在に取りつけられた小扉と、を含むことを特徴とする。
【００１４】
従来のダレ試験装置の開閉扉は大きな観音開き構造の扉となっていたため、試料の出し入れの度にダレ試験装置内部の温度が顕著に下がってしまっていたが、上記のような構成とすることにより、試料の出し入れに際し、ダレ試験装置内部の温度変化が極めて少なくなる。
【００１５】
また、前記小扉を開放すると手前側に略水平状態に位置するように構成し、前記小扉の開放状態では該小扉の裏面が、試料を一時的に置くための試料置きとして機能するように構成するのが好適である。
【００１６】
さらに、前記収納スペースがさらに小さく仕切られた仕切り収納スペースとなるように設けられかつ空気透過状態と非空気透過状態とを有することができるようにした仕切り手段と、をさらに含むように構成するのが好ましい。
【００１７】
さらにまた、ヒーター室内が所定温度に達するまでは前記仕切り手段を空気透過状態とし、試料の出し入れの際には前記仕切り手段を非空気透過状態とするように構成するのがさらに好ましい。このように構成すれば、前記ヒーター室内が温まるまでは前記仕切り手段を空気透過状態としてヒーター室内で熱風を循環させることにより前記仕切り収納スペースの全てが所定の温度で温められる一方、試料の出し入れの際には、前記仕切り手段を非空気透過状態とすることで、試料の出し入れの際の前記ヒーター室内の著しい温度変化を抑えることが可能となる。
【００１８】
また、本考案のダレ試験装置を、熱風循環乾燥機としても使用可能な熱風循環乾燥機兼用型ダレ試験装置と構成することもできる。
【考案の効果】
【００１９】
本考案によれば、ダレ試験装置内への試料の出し入れの際に、ダレ試験装置内の温度変化が極めて少ないダレ試験装置を提供することができるという大きな効果を奏する。
【考案を実施するための最良の形態】
【００２０】
以下に本考案の実施の形態を添付図面に基づいて説明するが、本考案の技術思想から逸脱しない限りこれらの実施の形態について種々の変更又は変形が可能なことは言うまでもない。
【００２１】
図１は本考案に係るダレ試験装置の一つの実施の形態を示す概略斜視正面図、図２は図１の要部拡大図、図３は図１のダレ試験装置内部の温度変化を示すグラフ、図４は本考案に係るダレ試験装置を熱風循環乾燥機兼用型とした一つの実施の形態を示す概略斜視背面図、図５は本考案に係るダレ試験装置のもう一つの実施の形態を示す概略正面図、図６は図５のダレ試験装置に用いられる仕切り手段の一つの実施の形態を示す概略斜視正面図、図７はダレ試験の試験結果を示すグラフ、図８は動的ダレ試験の試験結果を示すグラフ、図９は従来のダレ試験装置を示す概略斜視正面図、図１０は図９のダレ試験装置内部の温度変化を示すグラフである。
【００２２】
図１及び図２において、符号１０Ａは、本考案に係るダレ試験装置の一つの実施の形態を示す。ダレ試験装置１０Ａは、装置本体１２と、該装置本体１２内部に設けられたヒーター室１５と、該ヒーター室１５内に設けられた複数の収納スペース１４と、該ヒーター室を小さく区分けするように設けられた複数の開口部１７と、該開口部１７を開閉するように該開口部１７に回動自在に取りつけられた小扉１６と、を含む構成とされている。装置本体１２内部に設けられたヒーター室１５の構成については従来のダレ試験装置と同様である。
【００２３】
前記ヒーター室１５内には複数の線材棚板２６が設けられており、これにより複数の収納スペース１４が構成される。図示の例では、１つの収納スペース１４、すなわち、１枚の線材棚板２６あたりに試料２３が入った３つの耐熱受け皿２４が収納される構成とされている。
【００２４】
また、収納スペース１４として、線材棚板を用いた例を示したが、ヒーター室１５内を熱風が循環すればよいものであるから、線材棚板のほか網状棚板や多孔質棚板などの空気透過性を有する部材で収納スペース１４を構成することもできる。
【００２５】
また、図１及び図２において、装置本体１２には、従来のダレ試験装置と同様に、制御盤２８、温調器３０、ブレーカー３２、排気口３４がそれぞれ設けられている。
【００２６】
図２によく示される如く、小扉１６にはハンドル１８、折り畳み蝶番２０が取り付けられており、係止部材２２に係合することによって、小扉１６が閉じた状態となり、非係合とされることで、小扉１６が開放した状態となる。そして、小扉１６を開放すると小扉１６は手前側に略水平状態に位置するようにされており、小扉１６の開放状態では小扉１６の裏面が、試料２３を一時的に置くための試料置きとして機能する。
【００２７】
図２に示した小扉１６の構造は、一例を示したものであり、収納スペース１４の閉塞及び開放ができる構造であればよいもので、図示例の構造に限定されるものではない。
【００２８】
図示の例では、１枚の小扉１６あたりに２つの耐熱受け皿２４が収納される構成とし、１回のダレ試験で最大１８個の試料２３を試験することができる構成としたが、これらの数に限定はない。例えば、各小扉１６につき１〜３個の耐熱受け皿２４が収納される構成とすることができる。３個の耐熱受け皿２４が収納される構成とするには、線材棚板２６の数を増やせばよい。
【００２９】
図９に示すような従来のダレ試験装置では、開閉扉１１０ａ，１１０ｂが大きな観音開き構造の扉となっていたため、試料の出し入れの度にダレ試験装置内部の温度が図１０に示すように顕著に下がってしまっていたが、図１及び図２のような構成とすることにより、試料の出し入れに際し、ダレ試験装置内部の温度変化が図３に示すように極めて少なくなる。
【００３０】
また、図４に示すように、背面に開閉扉３８ａ，３８ｂを設けるように構成すれば、熱風循環乾燥機との兼用型とすることができる。すなわち、図４に示した兼用型仕様では、ダレ試験装置１０Ａを熱風循環型乾燥機として使用する場合には、背面に設けられた開閉扉３８ａ，３８ｂを開閉して、試料２３の入った耐熱受け皿２４を出し入れし、一方、ダレ試験装置として使用する場合には、前面に設けられた小扉１６を開閉して、試料２３の入った耐熱受け皿２４を出し入れすることが可能となる。図４において、符号４０ａ，４０ｂは開閉扉３８ａ，３８ｂに設けられた引き手であり、符号４２ａ，４２ｂは開閉扉３８ａ，３８ｂを係合するための係合部材である。
【００３１】
次に、本考案に係るダレ試験装置のもう一つの実施の形態を図５及び図６に示す。図５において、ダレ試験装置１０Ｂは、装置本体５２と、該装置本体５２内部に設けられたヒーター室９０と、該ヒーター室９０内に設けられた複数の収納スペース５４と、該ヒーター室を小さく区分けするように設けられた複数の開口部５７と、前記開口部５７を開閉するように前記開口部５７に回動自在に取りつけられた小扉５６と、を含み、前記収納スペース５４がさらに小さく仕切られた仕切り収納スペースとなるように設けられかつ空気透過状態と非空気透過状態とを有することができるようにした仕切り手段７６と、をさらに含むように構成されている。
【００３２】
前記仕切り手段７６は、図６によく示される如く、レール部材８８を有し複数の仕切り板空気透過孔７８が開穿された仕切り板８０と、該複数の空気透過孔７８に対応するように開穿された複数のスライド板空気透過孔８２を有し該レール部材８８上を摺動自在に構成されたスライド板８４と、を含むように構成されている。符号８６は、スライド板８４を摺動させるための掴み部材である。
【００３３】
図５において、ヒーター室９０に設けられた収納スペース５４は線材棚板６６から構成されており、仕切り手段７６で仕切られることで仕切り収納スペース７７となっている。この仕切り収納スペース７７に試料を入れた耐熱受け皿６４を収容する。また、小扉５６には、上記ダレ試験装置１０Ａと同様に、ハンドル５８、係止部材６２がそれぞれ設けられている。そして、小扉５６を開放すると手前側に略水平状態に位置するように構成され、小扉５６の開放状態では該小扉５６の裏面が、試料を一時的に置くための試料置きとして機能する構成も上記したダレ試験装置１０Ａと同様である。
【００３４】
また、図５において、装置本体５２には、制御盤６８、温調器７０、ブレーカー７２、排気口７４がそれぞれ設けられている。符号９０はヒーター室であり、ファンモーター９２とヒーター９４によってヒーター室９０が昇温される。
【００３５】
さらに、装置本体５２の下面には、ダレ試験装置１０Ｂの移動を容易にするためのキャスター部材９６が設けられている。
【００３６】
このダレ試験装置１０Ｂを用いてダレ試験を行うにあたっては、ヒーター室９０内が所定温度（例えば１７０°Ｃ）に達するまでは、スライド板８４を摺動させて仕切り板８０の仕切り板空気透過孔７８と、スライド板８４のスライド板空気透過孔８２とを一致させて仕切り手段７６を空気透過状態とする。一方、試料を入れた耐熱受け皿６４を収納スペース５４から出し入れする際には、スライド板８４を摺動させて、仕切り板８０の仕切り板空気透過孔７８とスライド板８４のスライド板空気透過孔８２とを不一致にさせて仕切り手段７６を非空気透過状態とする。
【００３７】
このように構成すれば、ヒーター室９０内が温まるまでは仕切り手段７６を空気透過状態としてヒーター室９０内で熱風を循環させることにより仕切り収納スペース７７の全てが所定の温度で温められる。一方、試料の出し入れの際には、仕切り手段７６を非空気透過状態とすることで、試料の出し入れの際に小扉５６を開けても該小扉５６を開けた仕切り収納スペース７７のみの内部温度が下がるだけで、他の仕切り収納スペース７７は温度変化しにくいため、ヒーター室９０内の著しい温度変化を抑えることが可能となる。
【００３８】
また、ダレ試験装置１０Ｂの構成であっても、装置本体５２の背面に図４の開閉扉３８ａ，３８ｂような開閉扉を設ければ熱風循環乾燥機兼用型ダレ試験装置とすることができることは勿論である。
【実施例】
【００３９】
（実施例１）
養生設定温度を１７０°Ｃに設定し、本考案に係るダレ試験装置１０Ａを用いてダレ試験を行った。ダレ試験装置１０Ａと従来のダレ試験装置１００をそれぞれ用いてダレ試験を行った試験結果を図７に示す。
【００４０】
図７に示すように、本考案に係るダレ試験装置１０Ａを用いてダレ試験を行った場合には、所定の養生時間の間、養生設定温度に保持された試料２３のダレ量の差は従来のダレ試験装置より明瞭に出て、設定アスファルト量の決定が容易になった。また、一度に多量に試料を扱えることで配合試験を効率的に行うことができた。
【００４１】
（実施例２）
排水性舗装の施工に当たって一番重要なポイントとして混合から、運搬、敷き均し、転圧にかけた一連の温度管理が挙げられる。しかしながら、排水性舗装用アスファルト混合物のようなポーラスなアスファルト混合物は熱容量の小さい粗骨材を多量に含み、かつ混合物間にも空気も含有するため密粒アスコン等の連続粒度のものよりも温度低下が早い傾向にある。特に寒冷期にかけて施工する場合には温度管理に様々な工夫が必要とされるが、現場における施工温度を確保しようとすると、必然的に混合温度を高めに設定せざるを得ず、この場合混合、運搬時にダレが発生する危険性があり、舗装の品質にも影響を及ぼすことになる。
【００４２】
混合温度や施工温度は一般にアスファルトメーカーの推奨値による場合が多いが、配合条件や施工条件として適切でない場合もあった。そこで、寒冷期においても混合、運搬時にダレを発生させず、かつ現場においても最適な温度を確保できる温度範囲を探るために「動的ダレ試験」を試みた。この試験は混合物の運搬時に加わる振動を模擬的にダレ試験の試料に与えることでダレの促進を図るものである。
【００４３】
加振装置にはセメントの物理試験（ＪＩＳ  Ｒ５２０１）に規定されたフローテーブルを用い、試料は配合試験によって決定された設計アスファルト量として、試験温度を１７０°Ｃ〜２００°Ｃまで変えたダレ試験供試体を、養生時間１時間の間に１０分毎に取り出して３０秒間に３０回の振動を与え、本考案のダレ試験装置１０Ａを用いたダレ試験を行い、ダレ量が急激に大きくなる温度を上限温度として求めた。試験結果を図８に示す。
【００４４】
この方法により、通常使用される高粘度アスファルトの場合は上限を１８０°Ｃとし、また性能規定工事等で使用される高耐久型の高粘度アスファルトの場合には１８５°Ｃを上限とした混合温度を設定して製造管理を行い、これを超える温度についてはプラントにて廃棄する管理を行った。
【００４５】
本考案のダレ試験装置１０Ａを用い、上記した動的ダレ試験により、特に寒冷期における温度管理の限界を事前に見極めることで高品質な舗装を構築することが可能となった。
【図面の簡単な説明】
【００４６】
【図１】本考案に係るダレ試験装置の一つの実施の形態を示す概略斜視正面図である。
【図２】図１の要部拡大図である。
【図３】図１のダレ試験装置内部の温度変化を示すグラフである。
【図４】本考案に係るダレ試験装置を熱風循環乾燥機兼用型とした一つの実施の形態を示す概略斜視背面図である。
【図５】本考案に係るダレ試験装置のもう一つの実施の形態を示す概略正面図である。
【図６】図５のダレ試験装置に用いられる仕切り手段の一つの実施の形態を示す概略斜視正面図である。
【図７】ダレ試験の試験結果を示すグラフである。
【図８】動的ダレ試験の試験結果を示すグラフである。
【図９】従来のダレ試験装置を示す概略斜視正面図である。
【図１０】図９のダレ試験装置内部の温度変化を示すグラフである。
【符号の説明】
【００４７】
１０Ａ，１０Ｂ：本考案のダレ試験装置、１２，５２，１０４：装置本体、１４，５４，１２０：収納スペース、１５，９０，１０２：ヒーター室、１６，５６：小扉、１７，５７：開口部、１８，５８：ハンドル、２０：折り畳み蝶番、２２，６２：係止部材、２３，１０６：試料、２４，６４，１０８：耐熱受け皿、２６，６６，１２２：線材棚板、２８，６８，１２４：制御盤、３０，７０，１２６：温調器、３２，７２，１２８：ブレーカー、３４，７４，１２３：排気口、３６，１３０：支脚、３８ａ，３８ｂ，１１０ａ，１１０ｂ：開閉扉、４０ａ，４０ｂ，１０９ａ，１０９ｂ：引き手、４２ａ，４２ｂ，１１１ａ，１１１ｂ：係合部材、７６：仕切り手段、７７：仕切り収納スペース、７８：仕切り板空気透過孔、８０：仕切り板、８２：スライド板空気透過孔、８４：スライド板、８６：掴み部材、８８：レール部材、９２：ファンモーター、９４：ヒーター、９６：キャスター部材、１００：従来のダレ試験装置、１３２：パイロットランプ、１３４：モーターランプ、１３６：パワーランプ、１３８：オーバーヒートランプ、１４０：ヒューズ、１４２：パワーオンスイッチ、１４４：パワーオフスイッチ。
【図１】
0003127243.tif 000003
【図２】
0003127243.tif 000004
【図３】
0003127243.tif 000005
【図４】
0003127243.tif 000006
【図５】
0003127243.tif 000007
【図６】
0003127243.tif 000008
【図７】
0003127243.tif 000009
【図８】
0003127243.tif 000010
【図９】
0003127243.tif 000011
【図１０】
0003127243.tif 000012